(57)【要約】  少なくとも中央シェル（３）を含み、中央シェルは屈曲可能地域を用いて着用者の前額部地域において中央シェルの側部に付加される側方シェル（１，２）に接続される、屈曲可能な合成材料から製造される衝撃保護キャップであって、側方シェル（１，２）が、少なくとも部分的に中央シェルの上に延び、それによって、オーバーラップ地域（２２，２２’）を形成し、それらの間に通気スロット（７，８）が形成されることを特徴とする。
2010537064.tif 000002
【特許請求の範囲】
【請求項１】
屈曲可能な合成材料から製造される衝撃保護キャップであって、
少なくとも１つの中央シェルを含み、該中央シェルは、着用者の前額部地域において側方シェルに接続され、該側方シェルは、屈曲可能地域を用いて前記中央シェルに横方向に付加され、
前記側方シェルは、前記中央シェルの上に少なくとも部分的に延び、それによって、オーバーラップ地域を形成し、前記側方シェルと前記中央シェルとの間には、通気スロットが構築されることを特徴とする、
衝撃保護キャップ。
【請求項２】
前記中央シェルと前記側方シェルとの間のオーバーラップ地域には、それぞれの長手ガイドが、それぞれ調整されるシェルの間に構築され、前記長手ガイドは、当該該衝撃保護キャップの縦方向に対して略横断方向に向けられることを特徴とする、請求項１に記載の衝撃保護キャップ。
【請求項３】
前記側方シェルは、前記中央シェルの上に重なり合い、それによって、前記中央シェルの上面と各前記側方シェルの各下面との間の中間空間に通気スロットを構築することを特徴とする、請求項１又は２に記載の衝撃保護キャップ。
【請求項４】
前記通気スロットを通じる貫流方向は、当該衝撃保護キャップの縦方向に対して略垂直に向けられることを特徴とする、請求項３に記載の衝撃保護キャップ。
【請求項５】
前記通気スロットの長さは、オーバーラップ地域の長さに略対応することを特徴とする、請求項３又は４に記載の衝撃保護キャップ。
【請求項６】
保持ストラップが各側方シェルに取り付けられること、並びに、互いに調整される保持ストラップは、後頭部地域に配置される閉鎖体によって相互係止されることを特徴とする、請求項１乃至５のうちのいずれか１項に記載の衝撃保護キャップ。
【請求項７】
当該衝撃保護キャップの前方前額部地域は、接続板を構築し、該接続板は、前記屈曲可能地域を用いて一体形材料として２つの側方シェルに付加されること、並びに、前記中央シェルは、水平屈曲可能地域を用いて前記接続板に付加されることを特徴とする、請求項１乃至６のうちのいずれか１項に記載の衝撃保護キャップ
【請求項８】
前記中央シェルは、後頭部地域で後頭部フラップを形成し、該後頭部フラップは、屈曲可能ゾーン１９を用いて自由に屈曲可能に構築されることを特徴とする、請求項１乃至７のうちのいずれか１項に記載の衝撃保護キャップ
【請求項９】
前記中央シェルは、リブ構成を備え、該リブ構成は、前記通気スロットを構築する目的のために前記側方シェルの平滑な表面の下に離間して平坦に配置されることを特徴とする、請求項１乃至８のうちのいずれか１項に記載の衝撃保護キャップ
【請求項１０】
前記中央シェルは、平坦に構築され、前記側方シェルは、少なくとも前記オーバーラップ地域にリブ構成を備え、該リブ構成は離間し、且つ、前記通気スロットを構築することを特徴とする、請求項１乃至８のうちのいずれか１項に記載の衝撃保護キャップ
【請求項１１】
前記中央シェル及び前記側方シェルは、少なくとも前記オーバーラップ地域にリブ構成を備え、該リブ構成は離間し、且つ、前記通気スロットを構築することを特徴とする、請求項１乃至８のうちのいずれか１項に記載の衝撃保護キャップ
【請求項１２】
前記頭部の通気のための更なるボア、スロット、又は、開口が、前記中央シェルの地域及び／又は前記側方シェルの地域に構築されることを特徴とする、請求項１乃至１１のうちのいずれか１項に記載の衝撃保護キャップ
【発明の詳細な説明】
【技術分野】
【０００１】
本発明は、例えば、独国特許出願第６０２  ０９  ７２６  Ｔ２号の主題として知られているような、産業用衝撃保護キャップに関する。この種類の産業用衝撃保護キャップは、繊維素材から成るひさし付き帽子の下に着用するのに適している。衝撃保護キャップ自体は、合成材料製であるのが好ましいが、金属製材料の使用も可能である。この種類の産業用衝撃保護キャップの目的は、可能な限り隠された状態でひさし付き帽子の下に着用しながらも、頭部を衝撃、損傷、及び、負傷から最大限に保護し得ることにある。
【背景技術】
【０００２】
独国特許出願第６０２  ０９  ７２６  Ｔ２号の主題は、屈曲可能地域を用いて中央シェルに側方シェルを取り付けたものから成る一体形の合成材料で本質的に製造される、この種類の衝撃保護キャップを示している。しかしながら、この設計の欠点は、中央シェルと側方シェルとの間の接続地域が衝撃保護キャップの着用中に開いているという事実である。これは前記シェルが前頭部地域のみにおいて屈曲可能地域を用いて一体形の材料として相互接続されるのに対し、後頭部地域の方向において開放側方スロットを構築することを意味する。従って、着用者の頭部形状に応じてスロットを多かれ少なかれ閉じさせることによって、頭部形状へのシェルの寸法適合が達成されるべきである。
【０００３】
しかしながら、この種類の頭部保護キャップは、殆どの異なる頭部形状に適さなければならないので、後頭部地域に延びるスロットは常に開いたままであり、負傷のリスクの増大を引き起こすことが想定されなければならない。前記地域では、頭部は保護されないままである。その場合には、尖った物体が前記スロット地域を通じて入り込み、頭皮を損傷し得る。
【０００４】
従って、記述の開発は頭部全体の完全な保護が達成されないという不利点を伴う。
【０００５】
当該技術分野において既知の前記技術のさらなる不利点は、長手ガイドの欠落又は中央シェルに対する側方シェルの所定相対位置の欠落である。前記シェルは、後頭部地域において屈曲可能地域を用いて相互接続されているだけである。しかしながら、前頭部地域及び前額部地域において中央シェルに対する側方シェルの案内は保証されない。これは側方シェルが中央シェルに対して無関係に変形し、例えば、頭部から浮き上がるという不利点を伴い、それは不快な着用感が引き起こす。
【０００６】
この種類の着用快適性の損失はこの種類の衝撃吸収保護キャップを著しく受け入れ難いものとする。
【０００７】
従って、中央シェルに対する側方シェルの圧力分布は着用者の頭部形状に合わせて均一化されない。何故ならば、側方シェルは中央シェルと無関係に変形し得るからである。
【０００８】
独国特許出願第２００  １５  ８８５  Ｕ１号の主題によって、さらなる衝撃吸収保護キャップが既知となっており、そこでは、側方シェルは側方屈曲可能地域をそれぞれ用いて中央シェルに取り付けられている。ここでも、側方シェルと中央シェルとの間の接続地域に大きい広々としたスロットが存在し、その故に、頭部地域はやはり完全に保護されないという不利点がある。その上、米国特許第２，７９４，１８９号にも同じ不利点があり、周囲地域だけで頭部を取り囲む穿孔付きヘッドバンドをもたらし、一体形の材料として前記ヘッドバンドに取り付けられるカバーシェルを備える。ここでも、頭部シェルとヘッドバンドとの間の好ましくない穿孔付き地域が生成され、それは頭部の完全な保護を損なう。
【０００９】
他方、もし、例えば、米国特許第５，９３０，８４１  Ａ１号に記載されるように、一体式ヘルメットが使用されるならば、着用者の頭部形状への好ましくない適合が許容されなければならないという不利点がある。その場合には、頭部形状への適合を達成するために、頭部形状サイズに対応して、対応するインサートがシェル内部で適用されなければならない。その上、米国特許第５，５８１，８１８号及び米国特許第５，４８１，７５９号についても、同じことが当て嵌まる。
【発明の概要】
【発明が解決しようとする課題】
【００１０】
従って、本発明の目的は、独国特許出願第６０２  ０９  ７２６  Ｔ２号を出発点として、頭部全体の完全な保護を保証すると同時に、高い着用快適性及び良好な通気性をもたらすよう、冒頭に述べられた産業用衝撃保護キャップを発展させることである。
【課題を解決するための手段】
【００１１】
上記目的を達成するために、本発明は請求項１の可能化開示によって特徴付けられる。
【００１２】
本発明の本質的な特徴は、側方シェル及び中央シェルが、前頭部地域においてそれ自体は既知の方法で一体形の材料として相互接続され、その空間に屈曲可能地域を構築すること、並びに、側方シェルが中央シェルの上に少なくとも部分的に延び、それによって、オーバーラップ地域を形成し、両者の間に通気スロットが構成されることである。
【００１３】
上記可能化開示によって、本発明の本質的な利点は、側方シェルが中央シェルの上に少なくとも部分的に延び、側方シェルが中央シェル上で調整可能に案内されることをもたらすことである。
【００１４】
その上、本発明は衝撃保護キャップが繊維製帽子の下に着用されることに限定されるものではない。繊維製のカバーを用いずに衝撃保護キャップだけを着用し、或いは、他の繊維製又は非繊維製の頭部カバーと共に衝撃保護キャップを着用するという可能性も提供される。
【００１５】
これにより、幾つかの利点が同時に得られる。
【００１６】
１．中央シェルをそれぞれ部分的にオーバーラップする側方シェルの故に、そのオーバーラップを調節することにより、頭部の全長に亘る頭部全体の完全で中断のない保護が生成される。
【００１７】
２．中央シェルでのそれぞれの側方シェルの少なくとも部分的なオーバーラップの故に、好適な側方通気スロットがそこに生成され、該通気スロットは特に良好な通気断面を形成する。
【００１８】
３．側方シェルは（頭部縦方向に対して横断して方向付けられる）それぞれの長手ガイドの地域において中央シェルの上で案内され、且つ、２つの側方シェルは中央シェルに対してそれぞれ互いに別個に調節されるので、頭部形状に対する優れた適合が得られる。
【００１９】
従って、従来の技術におけるように、側方シェルが左側で中央シェルから浮き上がり、右側で浮き上がらないことはなく、このため、着用感が損なわれることはもはや生じない。このようにして、衝撃保護キャップの内部地域全体に亘って着用者の頭部形状への完全な適合が達成される。何故ならば、上記長手ガイドに基づき、側方シェルは、互いに独立して調節可能であるような方法で、長手頭部方向に対して横断方向に中央シェル上で案内されるからである。よって、頭部形状が非対称的な頭部形状でさえも好適に調節されることができ、衝撃保護キャップの負荷全体が頭部周囲で均一に配分されることができる。
【００２０】
４．側方シェルが、中央シェル上に調整可能に延在する２つの側方シェルの重なり合いの故に、中央シェルは、より高いレベルに配置される側方シェルに対してより低く配置される。従って、長い通気スロットを前記移行地域に形成することができ、空気流が中央シェルの低く位置する地域を越えて長手頭部軸の方向に流れるとき、空気は高度の効率で前記通気スロットから流出する。その場合には、中央シェルの低く位置する地域は、付加される側方シェルのより高く位置する前方表面と協働し、半開状態の流路を形成する。
【００２１】
本発明の好適な実施形態は、シェルが特に薄く屈曲可能な一体的な合成材料で製造されることを意図する。この種類の合成材料は、例えば、約１．５〜２ミリメートルの厚さを有する合成材料であり、それによって、シェルの優れた屈曲性が生成される。
【００２２】
前記屈曲性に基づき、中央シェルを自由に屈曲可能に設計することさえ可能であり、例えば、後頭部にフラップを構築し、フラップが自由に屈曲可能であることさえ可能である。何故ならば、後頭部フラップは、中央シェルの自由に屈曲可能な端部に取り付けられるため、中央シェル上の後頭部フラップは、側方シェルの内側で着用者の後頭部地域に特に好適に適合するからである。
【００２３】
前額部地域では、側方シェルは、好ましくは、一体形材料として構築される屈曲可能地域を用いて、中央シェルと相互接続され、前記地域では、接続板が配置され、（もし正当化されるならば互いに垂直に配置される）対応する屈曲可能地域を構築する。
【００２４】
同様に、少なくとも中央シェルの地域に配置される縦方向及び横方向のリブ構成を有することが好ましい。
【００２５】
側方シェルは、前記縦方向及び横方向のリブ構成の上に少なくとも部分的に延在し、リブ構成の地域に通気スロットが形成され、通気スロットが上記ベンチュリ効果をもたらすよう、空間をもたらす。
【００２６】
本発明は、中央シェルの隔離されたリブ構成に限定されない。側方シェルに同様にリブ構成を備えさせることも意図し得る。
【００２７】
しかしながら、中央シェル地域にあるリブ構成が特に好ましい。何故ならば、その場合には、リブ構成は、側方シェルの内側に平滑に構築されるよう、前記地域において通気スロットのための空間を同時に形成するからである。
【００２８】
横方向及び縦方向における側方シェルの弾力的な構成、及び、同様に、横方向及び縦方向における中央シェルの弾力的な構成に基づき、あらゆる頭部形状に対する衝撃保護キャップ全体の弾力的な適合が縦方向及び横方向において生成される。この事実は新規であり、従来技術において既知でない。
【００２９】
本発明の主題は、個々の請求項の主題からだけでなく、個々の請求項の組み合わせからも由来する。
【００３０】
要約書を含む本書類に開示される全ての事項及び特徴、特に図面に表される空間的表示は、それらが個別的に或いは組み合わせとして従来技術に対して新規である限りにおいて、本発明に本質的として請求される。
【００３１】
以下において、ただ１つの実施形態を表す図面を参照して本発明をさらに詳細に説明する。本発明に本質的なさらなる特徴及び利点は、図面及びそれらの記載から起こる。
【図面の簡単な説明】
【００３２】
【図１】本発明に従った衝撃保護キャップを示す上面斜視図である。
【図２】衝撃保護キャップの製造位置を示す展開図である。
【図３】図２の構成を示す斜視図である。
【図４】比較的大きい頭幅を取る衝撃保護キャップを示す上面図である。
【図５】図４と同じ上面図であり、小さい頭幅を取る。
【図６】図５の線ＶＩ―ＶＩに沿う断面図であり、一部概略的に示している。
【図７】線ＶＩＩ−ＶＩＩに沿う断面図であり、一部概略的に示している。
【図８】リブ構成のプロファイルの第二実施形態を示す断面図である。
【図９】リブ構成の第三実施形態を示す断面図である。
【図１０】リブ構成の第四実施形態を示す断面図である。
【図１１】リブ構成の第五実施形態を示す断面図である。
【発明を実施するための形態】
【００３３】
図１乃至３では、衝撃保護キャップは、比較的狭く構築される中央シェル３を本質的に含み、２つの側方シェル１、２が、前方前額部地域において、中央シェルに付加され、前記側方シェル１，２は、同じ合成材料から成る一体形として前記地域上に取り付けられる。
【００３４】
各側方シェル１、２は、保持ストラップ４を備え、互いに調節される保持ストラップ４は、頭部の背後の地域において、閉鎖体５によって相互係止される。
【００３５】
本発明に従った中央シェル３は、好ましくは、縦リブと横リブとを含むリブ構成６を備える。
【００３６】
側方シェル１及び２が中央シェル３の上に重なり合い、その際、中央シェル３の上面とそれぞれの側方シェル１、２のそれぞれの下面との間の中間空間に、水平方向に構成される通気スロット７を生成することが重要である。
【００３７】
側方通気スロット７、８がこのようにして形成され、それらの大きな長さ及び狭い断面に基づき、空気流が中央シェル上で中央シェルの長手軸の方向に流れるとき、ベンチュリ管として機能し、半開流路を形成する。
【００３８】
異なる頭部サイズへの適合の目的のために、各側方シェル１、２は、調整される長手ガイドの助けを得て、中央シェル３上で調節可能に案内される。
【００３９】
非装着状態では、側方シェル１、２を中央シェル３から分離させたり、或いは、重なり合いを解消したりすることは意図されていない。このようにして、不断に且つ如何なる種類のスロットによって引き起こされる障害なしに頭部地域全体を損傷から保護することが、図１に従って確かなものとされる。
【００４０】
従って、図２及び３は、この種類の衝撃保護キャップを製造中の製造位置のみを示しており、衝撃保護キャップは、ここに記載された製造後に、図１に従った形態に組み立てられる。
【００４１】
さらなる詳細が図２及び３から既知である。接続板１１が前方前額部地域に配置され、接続板１１は垂直屈曲可能地域１２を構築し、２つの側方シェル１、２が垂直屈曲可能地域に一体形材料として付加されていることが分かる。よって、２つの側方シェルは屈曲可能地域１２を用いて接続板１１に自由に屈曲可能に付加される。
【００４２】
中央シェル３は、水平屈曲可能地域１３を用いても接続板１１に接続されている。
【００４３】
屈曲可能地域１２、１３が膜ヒンジとして構築され得ることは真実である。しかしながら、これは解決のために必要ではない。全体として、前記合成部品が互いに連結され且つ同じ材料から構築されるよう、側方シェル１，２及び中央シェル３と同じ合成材料の接続板１１を構築すれば十分である。それらは射出成型用金型内で一体形部品として製造される。
【００４４】
図１乃至３に従った実施態様において、長手ガイド９は、側方シェル１，２の地域にそれぞれ配置されるスロット１４から構築されるのに対し、スタッドボルト１５が前記スロット１４内に配置され、前記スタッドボルト１５は、中央シェル３に締結される。スタッドボルト１５はスロット１４を貫通し、スロット内で長手に案内される。
【００４５】
しかしながら、運動学的に逆では、側方シェルの地域にスタッドボルトを配置し、中央シェル３の地域に調整スロットを配置してもよい。
【００４６】
ここに記載されたスロット及びスタッドボルトを備える長手ガイドの代わりに、この種類の長手ガイドのための多数の他の可能性がある。従って、従来技術において既知の全ての長手ガイドが本発明のために本質的であるとして請求される。この種類の長手ガイドは、例えば、整合継手長手ガイド、蟻継手ガイド、又は、フラップが反対側に配置される調整溝に達するフラップガイド、及び、類似ガイドである。
【００４７】
その上、図２は、保持ストラップ４が、屈曲可能ゾーン１０を用いて一体形材料として側方シェル１、２にも取り付けられ、それによって、保持ストラップ４が、側方シェル１，２とも一体的に接続され、且つ、中央シェル３と一体的な工作物を形成するとき、特に簡単な製造を保証する。
【００４８】
さらに、中央シェル３が後頭部地域に後頭部フラップ１８を備え、後頭部フラップは自由に屈曲可能であるよう構築され、そして、前記地域内に配置される屈曲可能ゾーン１９を用いて後頭部フラップ１８は矢印方向２０に屈曲可能であるよう構築されていることが、図２から推論され得る。
【００４９】
これはより小さい（より短い）頭部形状のための長手調節を保証することに決定的に寄与するのに対し、後頭部フラップ１８は後頭部地域において側方シェル１、２の内部空間にバネ荷重されて付加され、それによって、後頭部地域が側方シェル１、２及び後頭部フラップ１８によって完全に且つ包括的に保護されるよう、閉塞形状を形成する。
【００５０】
図２によれば、リブ構成６は、縦リブ１６と、縦リブを横切って延びる横リブ１７とを含む。それらは中央シェル３の材料から半開リブとして成形されている。
【００５１】
図４及び５は、異なる頭部サイズへの適合を示し、ここでは、図４に従った衝撃保護キャップは、長手ガイド９がその内側終端ストッパに対して位置しているので、大きい頭部サイズに適合されていることが分かる。他方、もし狭い頭部形状が達成されるべきであるならば、２つの側方シェル１、２を単に矢印方向２１に互いに移動し、それによって、スタッドボルトは長手ガイド９内で移動され、それによって、図５に従ったより小さい頭部サイズが達成される。
【００５２】
次に、より小さい頭部サイズは、閉鎖体５との関係で保持ストラップ４を調整することによって固定される。
【００５３】
その上、図４及び５の比較から、オーバーラップ地域２２が側方シェル１、２と中央シェル３との間に創成され、オーバーラップ地域２２は、頭部サイズと無関係に常に維持されることで分かる。大きい頭部サイズを用いるならば、オーバーラップ地域２２は比較的小さいが、小さい頭部サイズを用いるならば、大きいオーバーラップ地域２２’が存在する。
【００５４】
通気スロット７、８が前記オーバーラップ地域２２、２２’の地域内に構築され、衝撃保護キャップの全長に亘って延び、それによって、中央シェルに対して縦方向において高い空気速度の場合に依然として大いに向上される優れた通気作用が達成されること重要である。この種類の効果は、繊維織物が十分に通気性を有する限り、衝撃保護キャップが繊維製帽子又は類似物内に適合されるときにも生じる。
【００５５】
図６は、オーバーラップ地域２２、２２’における前記通気スロット７、８の効果を示している。ここでは、リブ構成６に基づき、中央シェル３はその上に位置する２つの側方シェル１、２から離間し、それによって、通気スロット７、８が形成され、空気流がベンチュリ管のように機能する通気スロット７、８から矢印方向２５に高速で外向きに吸引されることが分かる。
【００５６】
図７は、例えば、半円形プロファイルとして構築される横リブ１７の効果を示している。
【００５７】
図８乃至１１は、リブ構成の他の実施形態を示し、そこでは、リブ構成６ａ乃至６ｄによって常に通気空間２６が形成される。
【００５８】
図８では、リブ構成６ａは、矩形の横リブ１７ａを含み、横リブの間に通気空間２６を構築し得ることが分かる。図９は類似の表示であるが、ここでは、横リブ１７ｂは、より広く且つより大きく構築されている。
【００５９】
図１０は、テーパ付き形態に構築されるこの種類の横リブ１７ｃを示しているのに対し、図１１は、着用者の頭皮方向において連続的な通気空間を達成するために、この種類の横リブが貫通口を有する形状であることを示している。よって、中央シェル３は、リブ構成の地域において貫通口を有する形状としても構築される。
【００６０】
当然のことであるが、本発明は、追加的に、側方シェル１、２の地域に対応する通気口を備え得る。
【符号の説明】
【００６１】
１    側方シェル
２    側方シェル
３    中央シェル
４    保持ストラップ
５    閉鎖体
６    リブ構成
７    通気スロット
８    通気スロット
９    長手ガイド
１０  屈曲可能ゾーン
１１  接続板
１２  屈曲可能地域（垂直）
１３  屈曲可能地域（水平）
１４  スロット
１５  スタッドボルト
１６  縦リブ
１７ａ，ｂ，ｃ，ｄ  横リブ
１８  後頭部フラップ
１９  屈曲可能ゾーン
２０  矢印方向
２１  矢印方向
２２，２２’  オーバーラップ地域
２３  （空欄）
２４  （空欄）
２５  矢印方向
【図１】
2010537064.tif 000003
【図２】
2010537064.tif 000004
【図３】
2010537064.tif 000005
【図４】
2010537064.tif 000006
【図５】
2010537064.tif 000007
【図６】
2010537064.tif 000008
【図７】
2010537064.tif 000009
【図８】
2010537064.tif 000010
【図９】
2010537064.tif 000011
【図１０】
2010537064.tif 000012
【図１１】
2010537064.tif 000013
【国際調査報告】
2010537064.tif 000014
2010537064.tif 000015
2010537064.tif 000016
2010537064.tif 000017
2010537064.tif 000018
2010537064.tif 000019